(57)【要約】【課題】  粉粒体運搬車において、収容粉粒体を排出するための配管の主たる部分がシャシフレーム上のサブフレームにより隠蔽されていて外部に露出することがなく、外観上の体裁をよくすると共に配管の汚損を低減でき、洗車も容易になる。【解決手段】  シャシフレームＣＦ上のサブフレームＳＦの内側に、収容粉粒体の排出用の、エア導入配管Ｐ１および二次エア配管Ｐ２の主たる部分をサブフレームＳＦを貫通してその内側の空間に収容した。【選択図】      図１
2006117095.tif 000002
【特許請求の範囲】
【請求項１】
シャシフレーム（ＣＦ）上にサブフレーム（ＳＦ）を設け、該サブフレーム（ＳＦ）上に粉粒体タンク（ＰＴ）を搭載し、粉粒体タンク（ＰＴ）内に敷設したキャンバス（１０）により、該粉粒体タンク（ＰＴ）内をエア室（ＣＡ）と粉粒体収容室（ＣＰ）とに区画し、エアコンプレッサ（１２）に接続されるエア導入配管（Ｐ１）を前記エア室（ＣＡ）に連通すると共に該エア導入配管（Ｐ１）より分岐される二次エア配管（Ｐ２）を粉粒体収容室（ＣＰ）に開口する排出配管（Ｐ３）に連通してなる粉粒体運搬車において、
前記エア導入配管（Ｐ１）および二次エア配管（Ｐ２）の少なくとも一部を、前記サブフレーム（ＳＦ）を貫通してその内側の空間に収容したことを特徴とする、粉粒体運搬車における配管構造。
【請求項２】
シャシフレーム（ＣＦ）上にサブフレーム（ＳＦ）を設け、該サブフレーム（ＳＦ）上に粉粒体タンク（ＰＴ）を搭載し、粉粒体タンク（ＰＴ）内に敷設したキャンバス（１０）により、該粉粒体タンク（ＰＴ）内をエア室（ＣＡ）と粉粒体収容室（ＣＰ）とに区画し、エアコンプレッサ（１２）に接続されるエア導入配管（Ｐ１）を前記エア室（ＣＡ）に連通すると共に該エア導入配管（Ｐ１）より分岐される二次エア配管（Ｐ２）を粉粒体収容室（ＣＰ）に開口する排出配管（Ｐ３）に連通してなる粉粒体運搬車において、
前記エア導入配管（Ｐ１）または二次エア配管（Ｐ２）の少なくとも一部を、前記サブフレーム（ＳＦ）を貫通してその内側の空間に収容したことを特徴とする、粉粒体運搬車における配管構造。
【発明の詳細な説明】
【技術分野】
【０００１】
本発明は、シヤシフレーム上のサブフレームに粉粒体タンクを搭載してなる粉粒体運搬車のおいて、粉粒体タンク内に収容される粉粒体を排出するための配管構造の改良に関するものである。
【背景技術】
【０００２】
従来、シャシフレーム上にサブフレームを一体に設け、そのサブフレーム上に粉粒体タンクを搭載し、この粉粒体タンク内にキャンバスを敷設して、その下方にエア室を、その上方に粉粒体収容室を画成し、エアコンプレッサからエア導入配管を介してエア室に圧送される圧力エアを、キャンバスを通して粉粒体収容室内に噴出させ、該室に開口する排出配管から粉粒体を外部に排出し、また、エアコンプレッサからの二次エアを二次エア配管を通して排出配管に圧送して粉粒体の排出を促進するようにした粉粒体運搬車は良く知られている（たとえば、特許文献１参照）。
【特許文献１】特公昭６２−６０２９８号公報
【発明の開示】
【発明が解決しようとする課題】
【０００３】
ところで、前記特許文献１に開示される粉粒体運搬車は、エアコンプレッサと粉粒体タンクのエア室とを接続するエア導入配管、および該エア導入配管と排出配管とを接続する二次エア配管は、いずれも粉粒体タンクを支持するサブフレームの外側方に露出状態で配管されているため、粉粒体運搬車全体の外観上の体裁を損ない、さらに、洗車に手間取るなどの問題がある。
【０００４】
本発明はかかる実情に鑑みてなされたもので、前記問題を解決した、新規な粉粒体運搬車における配管構造を提供することを目的とするものである。
【課題を解決するための手段】
【０００５】
前記目的達成のため、本請求項１記載の発明は、シャシフレーム上にサブフレームを設け、該サブフレーム上に粉粒体タンクを搭載し、粉粒体タンク内に敷設したキャンバスにより、該粉粒体タンク内をエア室と粉粒体収容室とに区画し、エアコンプレッサに接続されるエア導入配管を前記エア室に連通すると共に該エア導入配管より分岐される二次エア配管を粉粒体収容室に開口する排出配管に連通してなる粉粒体運搬車において、前記エア導入配管および二次エア配管Ｐ２の少なくとも一部を、前記サブフレームを貫通してその内側の空間に収容したことを特徴としている。
【０００６】
また、前記目的達成のため、本請求項２記載の発明は、シャシフレーム上にサブフレームを設け、該サブフレーム上に粉粒体タンクを搭載し、粉粒体タンク内に敷設したキャンバスにより、該粉粒体タンク内をエア室と粉粒体収容室とに区画し、エアコンプレッサに接続されるエア導入配管を前記エア室に連通すると共に該エア導入配管より分岐される二次エア配管を粉粒体収容室に開口する排出配管に連通してなる粉粒体運搬車において、前記エア導入配管または二次エア配管Ｐ２の少なくとも一部を、前記サブフレームを貫通してその内側の空間に収容したことを特徴としている。
【発明の効果】
【０００７】
本請求項１記載の発明によれば、エア導入配管および二次エア配管の少なくとも一部は、サブフレームの内側に形成される空間に収容され、このサブフレームにより隠蔽されていて、外部に露出することがない。したがって、外観上の体裁がきわめてよい、また、エア導入配管および二次エア配管は、それらの汚損を低減でき、洗車も容易になる。
【０００８】
また、本請求項２記載の発明によれば、エア導入配管または二次エア配管の少なくとも一部は、サブフレームの内側に形成される空間に収容され、このサブフレームにより隠蔽されていて、外部に露出することがない。したがって、外観上の体裁がきわめてよい、また、エア導入配管または二次エア配管は、それらの汚損を低減でき、洗車も容易になる。
【発明を実施するための最良の形態】
【０００９】
以下、本発明の実施の形態を、添付図面に例示した本発明の実施例に基づいて以下に具体的に説明する。
【００１０】
図１は、本発明にかかる配管構造を備え粉粒体運搬車の全体側面図、図２は、図１の２−２線に沿う断面図、図３は、図１の３矢視仮想線囲い部分の拡大図、図４は、図１の４矢視仮想線囲い部分の拡大図、図５は、図２の５矢視仮想線囲い部分の拡大図である。
【００１１】
図１，２において、粉粒体運搬車のシャシフレームＣＦ上には、サブフレームＳＦが設けられる。このサブフレームＳＦは、左右方向に間隔をおいて前後方向に延長される左右一対の縦フレーム１と、これらの縦フレーム１の前後を連結する横フレーム２とより平面視方形枠状に形成される。サブフレームＳＦの左右縦フレーム１の上縁は、その前後端よりその中間部に向かって下り勾配の傾斜面に形成されており、そこに粉粒体タンクＰＴが一体に設けられる。粉粒体タンクＰＴは、筒状のタンク胴体３の前後開口端を前後鏡板４，５により封緘し密閉状に形成され、その底面は、その前後端よりて中間部に向かって下り勾配の傾斜面に形成されている。サブフレームＳＦの左右縦フレーム１と、粉粒体タンクＰＴの底面により形成される空間に、後述するエア導入配管Ｐ１および二次エア配管Ｐ２の一部が収容される。
【００１２】
通常のように、粉粒体タンクＰＴの上面には、粉粒体の投入用の数個のマンホール７が開口され、これらのマンホール７は、マンホール蓋８により開閉される。また、粉粒体タンクＰＴ内の底面には、エアスライド用のキャンバス１０が敷設され、このキャンバス１０の下方にエア室ＣＡが、また、その上方に粉粒体収容室ＣＰが形成される。
【００１３】
粉粒体収容室ＣＰには、排出配管Ｐ３が設けられる。図１に示すように、この排出配管Ｐ３の上流部は、粉粒体タンクＰＴの中央部において、キャンバス１０に向けて下向きに屈曲され、その開口端は、漏斗状に形成されて、キャンバス１０に対面している。排出配管Ｐ３は、粉粒体収容室ＣＰ内を後方に延長され、粉粒体タンクＰＴの側壁を貫通して外部に延出され、その下流端は、大気に開口されており、図示しないサイロなどに連通される。エア室ＣＡからキャンバス１０を通して粉粒体収容室ＣＰに噴き出したエアにより流動化された粉粒体は、粉粒体タンクＰＴの中央部に集められ、前記排出配管Ｐ３を通って外部に排出される。
【００１４】
粉粒体タンクＰＴの下部には、そこに収容される粉粒体を加圧エアにより外部に排出するための配管構造が備えられる。以下、図１〜５を参照してこの配管構造を詳細に説明する。
【００１５】
シャシフレームＣＦの前部下方には、図示しない走行用エンジンによりＰＴＯを介して駆動されるエアコンプレッサ１２が架設されている。このエアコンプレッサ１２の吐出口には、シャシフレームＣＦ下を前後方向に延びる吐出配管１３が接続され、この吐出配管１３に継手１４を介して主エア配管１５が接続される。このエア主配管１５は、その途中にチェック弁２７と安全弁２８とを接続してシャシフレームＣＦとクロスして鉛直方向に延びており、その上端に他の継手１６を介してエア導入配管Ｐ１が接続される。また、このエア導入配管Ｐ１には、三方継手２９を介して二次エア配管Ｐ２が分岐接続される。
【００１６】
前記エア導入配管Ｐ１は、そこに設けられるチェック弁３３よりも下流側が第１、第２分岐管１７、１８に分岐されている。第１、第２分岐管１７、１８は、サブフレームＳＦの縦フレーム１の外側において、継手１９，２０により着脱可能に接続される基部配管１７1 、１８1 と先部配管１７2 ，１８2 とよりなり、各基部配管１７1 ，１８1 には手動の開閉弁２１，２２が設けられる。
【００１７】
なお、先部配管１７2 ，１８2 は、基部配管１７1 、１８1 よりも長く形成されていて、エア導入配管Ｐ１の主たる部分を占めている。
【００１８】
第１、第２分岐管１７，１８の先部配管１７2 ，１８2 は、図５に明瞭に示すように、サブフレームＳＦの縦フレーム１を貫通して、サブフレームＳＦの内側を前方に延長され、それらの下流端にはエルボ状の屈曲した噴出管１７ｎ，１８ｎが継手２５，２６を介して接続され、各噴出管１７ｎ，１８ｎは粉粒体タンクＰＴの底壁を貫通して、前記エア室ＣＡに開口される。先部配管１７2 ，１８2 は、サブフレームＳＦの縦フレーム１内に固定した支持ブラケット３０にＵボルト３１をもって固定支持されている。
【００１９】
一方、エア導入配管Ｐ１より分岐した二次エア配管Ｐ２は、図５に明瞭に示すように、縦フレーム１の外側において、継手４２を介して着脱可能に接続される基部配管４０と先部配管４１とを備え、先部配管４１は、サブフレームＳＦの縦フレーム１を貫通して、その縦フレーム１の内側を後方へと延長されており、粉粒体タンクＰＴの後部において、ふたたび縦フレーム１を貫通してその外側に延出され、継手４３を介して接続配管４４に接続されている。図５に示すように、先部配管４１は、縦フレーム１内に固定した支持ブラケット３０にＵボルト３１をもって固定支持される。
【００２０】
なお、先部配管４１は基部配管４０よりも長く形成されていて、二次エア配管Ｐ２の主たる部分を占めている。
【００２１】
接続配管４４は、図４に示すように、その途中に手動の開閉弁４５およびチェック弁４６を介在して、その下流端が、前記排出配管Ｐ３に連通接続される。排出配管Ｐ３の、前記接続配管４４の接続部よりも上流側には、手動の開閉弁５０が設けられる。
【００２２】
なお、図中、３４はエア導入配管Ｐ１と、二次エア配管Ｐ２との接続部に設けられるエア抜き弁である。
【００２３】
つぎに、この実施例に基づく粉粒体の排出作用について説明する。
【００２４】
いま、コンプレッサ１２を駆動して開閉弁２１，２２を開（開閉弁４５，５０は閉）にすれば、圧力エアはエア導入配管Ｐ１の第１、第２分岐配管１７，１８を通ってエア室ＣＡに圧送される。エア室ＣＡ内の加圧エアは、キャンバス１０から粉粒体収容室ＣＰに噴出されて、該室ＣＰ内の貯溜粉粒体を流動化させる。流動化された粉粒体は、キャンバス１０に沿って粉粒体タンクＰＴの中央部へとスライド移動してそこに集められる。
【００２５】
排出配管Ｐ３の開閉弁５０の開にすれば、集められた粉粒体は排出配管Ｐ３を通って粉粒体タンクＰＴの外部に排出され、図示しないサイロなどに貯溜される。また、二次エア配管Ｐ２の開閉弁４５を開にすれば、コンプレッサ１２からの加圧エアの一部は、二次エア配管Ｐ２から排出配管Ｐ３へと圧送されるので、エゼクタ効果により、排出配管Ｐ３内の粉粒体の排出が促進される。さらに、排出配管Ｐ３の開閉弁５０を閉にすれば、この開閉弁５０よりも下流側の排出配管Ｐ３内に残留している粉粒体が排出される。
【００２６】
なお、この粉粒体の排出作用は、従来のこの種粉粒体運搬車の粉粒体排出作用と変わらないので、より詳細な説明を省略する。
【００２７】
ところで、この実施例によれば、エア導入配管Ｐ１の主たる部分を占める先部配管１７2 、１８2 および二次エア配管Ｐ２の主たる部分を占める先部配管４１は、いずれもサブフレームＳＦの縦フレーム１の内側に形成される空間に収容されていて、この縦フレーム１により隠蔽されているので外部に露出することがない。したがって、外観上の体裁がきわめてよい、また、それらのエア導入配管Ｐ１の先部配管１７2 ，１８2 および二次エア配管Ｐ２の先部配管４１は、障害物との干渉を回避することができ、しかもそれらの汚損を低減でき、洗車も容易になる。
【００２８】
以上、本発明の実施例について説明したが、本発明はその実施例に限定されることなく、本発明の範囲内で種々の実施例が可能である。
【００２９】
たとえば、上記実施例では、エア導入配管Ｐ１と二次エア配管Ｐ２の両方をサブフレームＳＦの内側の空間に収容するようにしたが、エア導入配管Ｐ１または二次エア配管Ｐ２のどちらか一方をサブフレームＳＦの内側に収容するようにしても、粉粒体タンクＰＴの外観を良好にすることができ、しかもエア導入配管Ｐ１または二次エア配管Ｐ２の汚損の低減や洗車性を向上させることが可能となる。また、上記実施例では、エア導入配管Ｐ１は２本に分岐して粉粒体タンクＰＴに接続しているが、このエア導入配管Ｐ１を１本、または３本以上に分岐して粉粒体タンクＰＴに接続するようにしてもよい。
【図面の簡単な説明】
【００３０】
【図１】本発明にかかる配管構造を備え粉粒体運搬車の全体側面図
【図２】図１の２−２線に沿う断面図
【図３】図１の３矢視仮想線囲い部分の拡大図
【図４】図１の４矢視仮想線囲い部分の拡大図
【図５】図２の５矢視仮想線囲い部分の拡大図
【符号の説明】
【００３１】
１０・・・・・・・・キャンバス
１２・・・・・・・・エアコンプレッサ
ＣＦ・・・・・・・・シャシフレーム
ＳＦ・・・・・・・・サブフレーム
ＰＴ・・・・・・・・粉粒体タンク
ＣＡ・・・・・・・・エア室
ＣＰ・・・・・・・・粉粒体収容室
Ｐ１・・・・・・・・エア導入配管
Ｐ２・・・・・・・・二次エア配管
Ｐ３・・・・・・・・排出配管
【図１】
2006117095.tif 000003
【図２】
2006117095.tif 000004
【図３】
2006117095.tif 000005
【図４】
2006117095.tif 000006
【図５】
2006117095.tif 000007